(57)【要約】【課題】印刷されている彩紋が印刷物の固有の識別子を表す彩紋表示物を提供する。【解決手段】円形、楕円形、多角形、直線、波状線、弧線等の組み合わせで構成される幾何学模様が印刷される彩紋表示物である。そして、この幾何学模様は、幾通りもの図形を基準点から規則的に配置されて描画されている複数の描線を含む。そして、このときの前記描線の数、線の太さに特徴のある前記描線の配置順位、線の色に特徴のある前記描線の配置順位、前記描線が描く形状のうちの少なくとも一つの特徴要素に基づいて、それぞれ彩紋に識別子を割り付ける。これにより、彩紋表示物は印刷されている彩紋に応じて区別される。【選択図】図４Ａ
2019031037.tif 000002
【特許請求の範囲】
【請求項１】
円形、楕円形、多角形、直線、波状線、弧線等の組み合わせで構成される幾何学模様が印刷される彩紋表示物であって、
前記幾何学模様は、基準点から規則的に配置されて描画されている複数の描線の数、線の太さに特徴のある前記描線の配置順位、線の色に特徴のある前記描線の配置順位、前記描線が描く形状のうちの少なくとも一つの特徴要素に基づいて、前記幾何学模様が識別可能な彩紋表示物。
【請求項２】
印刷されている前記幾何学模様の前記特徴要素に応じて識別子が割り付けられる請求項１に記載の彩紋表示物。
【請求項３】
形状が異なる複数の前記幾何学模様が印刷されて、それぞれの幾何学模様の前記特徴要素の総合で前記識別子が割り付けられる請求項２に記載の彩紋表示物。
【請求項４】
複数の前記幾何学模様は階層化されて、前記階層に沿った配列で前記識別子が割り付けられる請求項３に記載の彩紋表示物。
【請求項５】
前記幾何学模様は、前記基準点から同心円状に図形を描画することで、前記基準点から規則的に配置される複数の前記描線が描画される請求項１乃至４の何れかに記載の彩紋印刷部。
【請求項６】
前記幾何学模様は、図形の軌跡に別の軌跡で前記図形を描画することで、前記基準点から規則的に配置される複数の前記描線が描画される請求項１乃至４の何れかに記載の彩紋表示物。
【請求項７】
前記軌跡同士が一部で重なる請求項６に記載の彩紋表示物。
【発明の詳細な説明】
【技術分野】
【０００１】
本発明は、彩紋を表示している彩紋表示物に関する。
【背景技術】
【０００２】
この明細書での「彩紋表示物」とは、一般的には、商品券、ギフトカード、図書券等の有価証券、手形、小切手、預り証券、地方債証券等の債権証券、質入証券等の物権証券、株券、投資証券等の社員証券、投資信託等の受益証券、収入印紙、郵便切手等の金券類、入場券等の一定の権利や価値を表象する証券類、及び、個人や個人の権限を識別するＩＤカード、アクセスカード等の彩紋が印刷される各種媒体を指すが、こうした紙等による媒体に限らず、画面表示プラグラムにより彩紋を表示することができるスマートフォン等の可搬ターミナルも含むものとする。
【０００３】
彩紋とは、円形、楕円形、多角形、直線、波状線、弧線等の組み合わせで構成される幾何学模様であり、かつては、彩紋彫刻機と呼ばれる特殊な機械的歯車やギアを複雑に組み合わせて作成するため、経験を積んだ専門の熟練者によってしか描画できなかった。そのため、彩紋を再現することはかなりの困難を伴うことから、有価証券等のセキュリティ印刷物の偽造防止策の一つとして用いられてきた。
【０００４】
しかしながら、デジタル技術が発達した昨今では、彩紋を複写し、補正をかけながら、同様な彩紋を複製することは比較的容易な状況となってきている。こうした偽造や変造への対策としては、彩紋は描線が複雑な繰り返しで描画されることから、この規則的な配置に情報を埋め込む技術が知られており、この情報を識別することで高精度での真偽判別を可能にし、又はその情報に基づき偽造等に利用する複写機等デジタル機器の動作停止等のアクションを可能にしている（例えば、特許文献１を参照）。
【先行技術文献】
【特許文献】
【０００５】
【特許文献１】特許第５６５２７８７号公報
【発明の概要】
【発明が解決しようとする課題】
【０００６】
一方で、彩紋は緻密且つ重厚感が感じられる芸術性を有する幾何学模様であるため、それ自体に社会的な価値を有する媒体に印刷したとき親和性がよく、媒体の装飾性の面でその下地模様に広く採用されている。
【０００７】
その場合、媒体個々の識別番号等の識別子、例えば、有価証券であれば当該有価証券に割り振られた通し番号、またＩＤカードであれば所有者のＩＤ番号に対応した模様の彩紋を媒体の表面に印刷すれば、彩紋の模様を通して当該彩紋が印刷された媒体の識別子を機械的に読み取ることができるようになる。
【０００８】
本発明は、上記点に鑑みてなされたものであり、印刷されている彩紋が印刷物（媒体）の固有の識別子を表す彩紋表示物を提供することを目的としている。
【課題を解決するための手段】
【０００９】
上記課題の解決をするために、本発明の彩紋表示物は、円形、楕円形、多角形、直線、波状線、弧線等の組み合わせで構成される幾何学模様が印刷される彩紋表示物であって、前記幾何学模様は、基準点から規則的に配置されて描画されている複数の描線の数、線の太さに特徴のある前記描線の配置順位、線の色に特徴のある前記描線の配置順位、前記描線が描く形状のうちの少なくとも一つの特徴要素に基づいて、前記幾何学模様が識別可能となっている。この場合、好ましくは、印刷されている前記幾何学模様の前記特徴要素に応じて識別子が割り付けるとよい。
【００１０】
加えて、形状が異なる複数の前記幾何学模様が印刷されて、それぞれの幾何学模様の前記特徴要素の総合で前記識別子を割り付けることで、幾通りもの識別子を設定できる。その場合、複数の前記幾何学模様を階層化して、前記階層に沿った配列で前記識別子が割り付けることで、例えば、複数桁の識別子が作成できる
そして、前記幾何学模様は、前記基準点から同心円状に図形を描画することで、前記基準点から規則的に配置される複数の前記描線を描画することができる。
【００１１】
又は、前記幾何学模様は、図形の軌跡に別の軌跡で前記図形を描画することで、前記基準点から規則的に配置される複数の前記描線を描画することができる。このとき、前記軌跡同士が一部で重なっていてもよい。
【発明の効果】
【００１２】
彩紋表示物は、印刷されている彩紋で当該印刷物の識別子が表されているために、偽造又は変造や、紛失・盗難等の事故が起きた印刷物を容易に特定して追跡でき、彩紋表示物の信頼性を向上させることができる。
【図面の簡単な説明】
【００１３】
【図１】本発明に係る彩紋表示物を提供する彩紋印刷システムの全体構成の説明図を示す。
【図２】彩紋表示物としての有価証券を例示する説明図を示す。
【図３】図１の彩紋印刷システムを構成する印刷制御部の具体的な構成をブロック図で示す。
【図４Ａ】彩紋表示物される彩紋の例を示し、通し番号の下１桁目の０から９までの各数値に対応している幾何学模様を示す。
【図４Ｂ】有価証券等に表記される彩紋の例を示し、通し番号の下２桁目の０から９までの各数値に対応している幾何学模様を示す。
【図４Ｃ】有価証券等に表記される彩紋の例を示し、通し番号の下３桁目の０から９までの各数値に対応している幾何学模様を示す。
【図４Ｄ】有価証券等に表記される彩紋の例を示し、通し番号の下４桁目の０から９までの各数値に対応している幾何学模様を示す。
【図５】図２の有価証券に印刷されている彩紋を拡大して示す。
【図６】印刷制御部による有価証券９の印刷を制御する動作を説明するフローチャートを示す。
【発明を実施するための形態】
【００１４】
図１は、媒体に彩紋を印刷して本発明に係る彩紋表示物を提供する彩紋印刷システム１０の構成の実施例を示す図で、本例においては媒体としての有価証券に彩紋を印刷する。彩紋印刷システム１０は、有価証券を印刷するためのデジタルプリンタ１と、処理装置２と、イメージスキャナー５とを備える。
【００１５】
デジタルプリンタ１は、プリント・オン・デマンド（Ｐｒｉｎｔ
Ｏｎ Ｄｅｍａｎｄ）を実現するプリンタであり、インクジェットやレーザー、電子写真（トナー）、昇華転写、熱溶融転写又はデジタルオフセットなどの各方式による周知のプリンタが使用される。
【００１６】
処理装置２は、メモリ７を備える汎用のコンピュータで構成されて、所定のプログラムを実行することで、デジタルプリンタ１に有価証券の券面に印刷するための画像情報を供給する印刷制御部３と、イメージスキャナー５が有価証券から取得した画像情報に基づき当該有価証券の真偽を判別する解析部４の各機能を実現する。イメージスキャナー５と解析部４は、処理装置２とは異なる別の装置に格納されてもよい。また、有価証券から画像情報を取得するには、カメラ等の撮像装置を用いてもよい。また、別の実施例としては、印刷制御部３を有する第１の処理装置と、解析部４を有する第２の処理装置とに、処理装置２を分割することも可能である。その場合、メモリ７は、第１及び第２の処理装置の何れからも参照可能な構成となる。
【００１７】
図２は、デジタルプリンタ１が印刷する有価証券９、例えば商品券の一例を示している。この有価証券９は、彩紋８が印刷されると共に、「○○商店街共通」に使用できること、「￥１，０００」の価値を有する券であること、記番号が「０１０１２３」であることなどの有価証券情報が印刷されている。記番号は同じ種類の有価証券９毎に割り振られる通し番号である。したがって、この実施形態では、記番号が個々の有価証券９毎の識別子となる。そして、彩紋８は、各有価証券９の記番号の数値に基づいてその模様が決定される。よって、一連の通し番号が割り振られた同種の有価証券９であっても、通し番号に応じて模様が異なり、同じ模様の彩紋８が印刷されている有価証券９は存在しない。
【００１８】
有価証券９の券面フォーマット、すなわち彩紋８や有価証券情報の券面上での配置箇所、及びこれら有価証券情報を示す具体的な文字や数字は、事前に決定されて、その図形や文字、配置箇所などを表わすコマンドデータを集合させたデジタル文書６で入力されて印刷制御部３に送られる。しかし、有価証券９の券面には、各有価証券９の券面上にそれぞれ異なる独自の彩紋８が印刷されて、この彩紋８記番号である識別子を読み取ることが可能であるため、記番号は特に記載する必要はない。記番号に基づいて、各有価証券９の券面上にそれぞれ異なる独自の彩紋を作成する仕組みについては、後に明らかとなる。
【００１９】
図３は、印刷制御部３の機能構成をブロック図で示しており、印刷制御部３は、彩紋作成部１１と、印刷する各有価証券９の記番号による識別子を管理する識別子管理部１２と、レイヤ１３と、ラスターイメージプロセッサＲＩＰ（Ｒａｓｔｅｒ  Ｉｍａｇｅ  Ｐｒｏｃｅｓｓｏｒ）１４と、画像メモリ１５とを有する。
【００２０】
彩紋作成部１１は、上述したように、印刷する各有価証券９の記番号の数値に基づいて彩紋８の模様を作成するが、本例では、６桁（列）の記番号のうちの下４桁を対象桁にして、この各桁にそれぞれ０から９までの１０通りの幾何学模様が予め設定されている。
【００２１】
図４Ａ乃至図４Ｄはこの幾何学模様を例示しており、図４Ａは下１桁目の０から９までの各数値に対応している幾何学模様を示し、図４Ｂは下２桁目の０から９までの各数値に対応している幾何学模様を示し、図４Ｃは下３桁目の０から９までの各数値に対応している幾何学模様を示し、図４Ｄは下４桁目の０から９までの各数字に対応している幾何学模様を示している。このように４桁の各０から９までの数値に対応する４０通りの幾何学模様は、メモリ７内に予め確保されている彩紋メモリ１６に格納されている。
【００２２】
各幾何学模様について説明すると、図４Ａに示す幾何学模様は、各角部が弧線で描かれる星形正十角形の図形を、一部に重なっている部分があるものの、それぞれ異なる軌跡で描くことで、同じ図形を規則正しく略同心円状に複数のパターンで描画したものである。これによって、図形の中心の基準点から規則的に配置された複数の描線が描画されている。そして、図４Ａの１０通りの幾何学模様にはそれぞれに特徴要素を持たせて、０から９までの各数値による識別子がそれぞれ割り振られている。
【００２３】
具体的には、図４Ａにおいては、識別子「０」（×××０）に相当する幾何学模様は、星形正十角形の図形が７通りのパターンで描画されおり、このパターン毎の描線が規則的に７本配置されていることになる。この場合、何れのパターンの描線も太線で描画されていない。そして、識別子「１」（×××１）乃至「４」（×××４）に相当する各幾何学模様は、何れも同様に星形正十角形の図形が７通りのパターンで描画されているが、それぞれ図形の中心の基準点から１番目、３番目、５番目、７番目の描線は太線で描かれている。また、識別子「５」（×××５）に相当する幾何学模様は、星形正十角形の図形が６通りのパターンで描画されており、何れのパターンの描線も太線で描画されていない。そして、識別子「６」（×××６）乃至「９」（×××９）に相当する各幾何学模様は、何れも同様に星形正十角形の図形が６通りのパターンで描画されているが、それぞれ図形の中心の基準点から２番目、３番目、４番目、５番目の描線は太線で描かれている。このようにして、図４Ａにおける各幾何学模様は、パターンの数と何れのパターンの図形を太い描線とするかで１０通りの識別子が割り付けられている。よって、図４Ａに示す各幾何学模様は、描線の数と、太線の描線の配置順位とを特徴要素として、それぞれ識別子が割り付けられている。
【００２４】
図４Ｂに示す幾何学模様も、同じく各角部が弧線で描かれる星形正十角形の図形を同心円状に複数通りのパターンで描画されているが、この幾何学模様は何れの星形正十角形の図形も重なることなく描画されて、複数の描線が図形の中心の基準点から規則的に配置されている。そして、識別子「０」（××０×）に相当する幾何学模様は、星形正十角形の図形が７通りのパターンで描画されて、何れのパターンの描線も太線で描画されていない。そして、識別子「１」（××１×）乃至「４」（××４×）に相当する各幾何学模様は、何れも同様に星形正十角形の図形が７通りのパターンで描画されているが、それぞれ図形の中心の基準点から１番目、３番目、５番目、７番目の描線は太線で描かれている。また、識別子「５」（××５×）に相当する幾何学模様は、星形正十角形の図形が８通りのパターンで描画されて、何れのパターンの描線も太線で描画されていない。そして、識別子「６」（××６×）乃至「９」（××９×）に相当する各幾何学模様は、何れも同様に星形正十角形の図形が８通りのパターンで描画されているが、それぞれ図形の中心の基準点から２番目、４番目、６番目、７番目の描線は太線で描かれている。よって、図４Ｂにおける各幾何学模様も、描線の数と、太線の描線の配置順位とを特徴要素として、それぞれ識別子が割り付けられている。
【００２５】
図４Ｃに示す幾何学模様は、互いに隣り合う角部がループ状に繋がっている星形正十角形の図形を、一部に重なっている部分があるものの、それぞれ異なる軌跡で描くことで、同じ図形を規則正しく略同心円状に複数のパターンで描画されている。この場合、識別子「０」（×０××）乃至「４」（×４××）に相当する各幾何学模様は、星形正十角形の角部が曲線形状であるのに対し、識別子「５」（×５××）乃至「９」（×９××）に相当する各幾何学模様は、曲線の角部の先端部は鋭角となる形状に変えている。さらに、星形正十角形の角部が曲線形状の識別子「０」（×０××）乃至「４」（×４××）に相当する各幾何学模様は、略同心円状に配置した７通りのパターンで星形正十角形の図形が描画されている。そして、図４Ａ、図４Ｂで説明したのと同様に、図形の中心の基準点から太線の描線の配置順位を違えることで差別化している。よって、図４Ｃにおける各幾何学模様は、同種の図形でも一部の形状に特徴要素を持たせて、且つ何れかのパターンの図形を太い描線で描画することで、１０通りの識別子が割り付けられている。よって、図４Ｂにおける各幾何学模様は、描線の数と、それが描く形状を特徴要素として、それぞれ識別子が割り付けられている。
【００２６】
図４Ｄの彩紋もやはり基本は星形正十角形の図形であり、図４Ｃの彩紋と同様に先端部は鋭角となっているが、ここでは一つ置いて隣り合う同士の角部をループ状に繋げた図形となっている。そして、この図形を、一部に重なっている部分があるものの、それぞれ異なる軌跡で描くことで、同じ図形を規則正しく略同心円状に複数のパターンで描画されていて、図形の中心の基準点から太線の描線の配置順位を違えることで差別化している。よって、太線の描線の配置順位を特徴要素として、それぞれ識別子が割り付けられている。
【００２７】
このように、各幾何学模様に識別子を割り付けるための特徴要素としては、上記した描線の太さや数、そして描く形状以外にも、例えば、色や線種がある。
【００２８】
図３の説明に戻って、印刷制御部３は、有価証券印刷開始の印刷要求が入力されて有価証券９の印刷を開始する。そして、識別子管理部１２は、有価証券９が印刷される度に記番号を１ずつカウントして付与することで、識別子である各有価証券の６桁の記番号を管理する。識別子管理部１２は、印刷される度にカウントする機能ではなく、あらかじめ決められたルールに基づき、記番号の大量のデータを作成しておき、それをレイヤ１３に順次送り込む機能を持っていてもよい。
【００２９】
彩紋作成部１１は、識別子管理部１２がカウントした記番号の下４桁の各数値に応じた幾何学模様を彩紋メモリ１６から抽出し、抽出した幾何学模様を組み合わせることで彩紋８を作成する。例えば、記番号が「０１０１２３」の有価証券９の場合には、下４桁の数値「０１２３」に対応している、図４Ａの（×××３）、図４Ｂの（××２×）、図４Ｃの（×１××）及び図４Ｄの（０×××）の各幾何学模様を選択し、これらを一つに組み合わせることで、図５に示す模様の彩紋８が作成される。
【００３０】
彩紋メモリ１６には複数のファイル２５１乃至２５ｎが格納されており、彩紋作成部１１は、彩紋メモリ１６に格納しているファイル２５１乃至２５ｎから一つのファイルを選択して、このファイルから各桁の数字に対応している彩紋を読み出す。図４Ａ乃至図４Ｄに示されている４桁の０から９までの数字に対応している４０通りの彩紋は、この中の一つのファイル２５ｋに格納されている。
【００３１】
レイヤ１３は、識別子管理部１２が有価証券９の印刷毎に管理している記番号やその記番号に基づき彩紋作成部１１で作成される彩紋８を表わすコマンドデータを、印刷する有価証券９の券面フォーマットが示されているデジタル文書６と重ねてラスターイメージプロセッサ１４へと送る。デジタル文書６は、券面フォーマットに応じて予め複数設定されており、レイヤ１３はこの中から指定のデジタル文書６を選択して上記コマンドデータを重ねる。
【００３２】
ソフトウエアであるラスターイメージプロセッサ１４は、上記コマンドデータが重ねられたデジタル文書６に表現されている文字、図形などと、記番号に対応し構成された彩紋画像の組み合わせたものを実際にプリンタ出力するための２次元のビットマップイメージへと展開する。
【００３３】
画像メモリ１５は、展開されたビットマップイメージを一時的に格納することで画像データに変換してデジタルプリンタ１へ受け渡す。これにより、デジタルプリンタ１によって、印刷表示物である有価証券９に彩紋が印刷される。一方、彩紋表示物が可搬ターミナルであれば、この画像データを可搬ターミナルへ出力して、記憶させる。
【００３４】
解析部４は、イメージスキャナー５で読み取った有価証券９の彩紋８の画像を彩紋メモリ１６に格納している各彩紋とパターンマッチング処理によるパターン認識処理を行うことで、彩紋８を読み取った有価証券９の真贋及び印字画像の正確性を判別する。上記したように、解析部４は、必ずしも処理装置２に組み込まれるものではなく、別の検証装置に組み込まれて、彩紋の構成に関するロジックを共有することで、真贋鑑別を別の主体が実施するよう構成してもよい。
【００３５】
上記構成の彩紋印刷システム１０において、印刷制御部３による有価証券９の印刷を制御する動作について、図６のフローチャートを用いて説明する。
【００３６】
印刷制御部３は、印刷要求を受信すると、彩紋作成部１１は、彩紋メモリ１６に格納されている彩紋のファイル２５１乃至ファイル２５ｎの内から一つのファイルを選択する（ステップＳ１）。ここでは、印刷制御部３によって、図４Ａ乃至図４Ｄに示されている彩紋を格納しているファイル２５ｋが選択されたものとする。
【００３７】
そして、彩紋作成部１１は、彩紋のファイルの選択後、識別子管理部１２のカウント値から印刷する有価証券９の枚数が１万枚未満か否かを判別する（ステップＳ２）。すなわち、カウント値の下４桁の数値が「９９９９」未満であるか否かを判定する。そして、「ＹＥＳ」で１万枚未満のときには、識別子管理部１２は「１」を加算して記番号をカウントする（ステップＳ４）。但し、最初の１枚目の有価証券９の印刷時のステップＳ４の処理では、識別子管理部１２には初期値の「０１００００」がセットされるものとする。
【００３８】
彩紋作成部１１は、識別子管理部１２で記番号がカウントされると、カウントした記番号に基づき彩紋８の模様を決定する。この場合、最初の１枚目の有価証券９のときは、記番号の下４桁は「００００」であるから、ステップＳ１で選択した彩紋ファイル２５ｋから各桁「０」の幾何学模様を抽出して、この４通りの幾何学模様を組み合わせることで彩紋８の模様を作成する（ステップＳ５）。
【００３９】
印刷制御部３は、彩紋作成部１１で彩紋が作成されると、レイヤ１３によって、入力された券面フォーマットを表わすデジタル文書６に、この彩紋と識別子管理部１２がカウントしている記番号「０１００００」を表わすコマンドデータを重ねてラスターイメージプロセッサ１４へと送る（ステップＳ６）。
【００４０】
ラスターイメージプロセッサ１４は、デジタル文書をビットマップイメージに展開する（ステップＳ７）。画像メモリ１５は、ビットマップイメージを一時的に格納することで画像データに変換してプリンタ５へ受け渡す（ステップＳ８）。これにより、プリンタ５は画像データを印刷する。
【００４１】
印刷制御部３は、こうして１枚の有価証券９の印刷を終了すると、識別子管理部１２のカウント値から有価証券９の印刷枚数が指定枚数に到達したかを判別し（ステップＳ９）、達していないときにはステップＳ２の処理に戻る。一方、有価証券９の印刷枚数が指定枚数に到達していると、印刷制御部３は有価証券９の印刷を終了する。尚、彩紋表示物が可搬ターミナルであるときには、ここでの処理は、彩紋の画像データを可搬ターミナルに出力する。
【００４２】
ステップＳ２の処理に戻り、識別子管理部１２のカウント値から印刷した商品券の枚数が１万枚未満であることを判別すると、識別子管理部１２には１が加算されて記番号「０１０００１」をカウントする（ステップＳ４）。このとき、記番号の下４桁の数値は「０００１」となるため、彩紋作成部１１は、４桁目から２桁目まではそれぞれ「０」、１桁目は「１」に対応している幾何学模様を彩紋ファイル２５ｋから抽出して、この４通りの幾何学模様を組み合わせることで彩紋８の模様を作成する（ステップＳ５）。そして、レイヤ１３は、この彩紋８と識別子管理部１２による記番号「０１０００１」とをデジタル文書に重ねて（ステップＳ６）、ラスターイメージプロセッサ３へ出力することで、ビットマップイメージに展開されて（ステップＳ７）、画像メモリ１５で画像データに変換されて（ステップＳ８）、有価証券９が印刷される。
【００４３】
このようにして、印刷制御部３は、有価証券９の印刷指定枚数に未到達の間は、ステップＳ２からステップＳ９までの処理を繰り返し、識別子管理部１２がカウントした記番号の下４桁の各数値に対応する幾何学模様を組み合わせて彩紋８を作成し、記番号及びこの彩紋を重ねたデジタル文書をラスターイメージプロセッサ１４へ出力してビットマップイメージに展開し、さらに画像メモリ１５により画像データに変換することで、有価証券９の印刷が行われる。この間、１２３枚目の記番号が「０１０１２３」の有価証券９には、図５に示す模様の彩紋８が印刷される。尚、彩紋表示物が可搬ターミナルであるときには、印刷枚数に応じた台数の可搬ターミナルに各彩紋の画像データを記憶させる。又は１台の可搬ターミナルに画像データを記憶させるか、或いは彩紋を複数に分けてその台数分の可搬ターミナルに分けて記憶させる。
或いは１台の可搬メモリへの彩紋の画像データの出力が終了すると、
有価証券９の印刷指定枚数が１万枚以上の場合には、ステップＳ２からステップＳ９までの処理が繰り返されることで、ステップＳ４において、識別子管理部１２は、「０１００００」から記番号を１ずつ加算していく。そして、１万枚の有価証券９が印刷されたとき記番号は「０１９９９９」となり、印刷制御部３は、ステップＳ２の処理からステップＳ３の処理となって、彩紋作成部１１は、彩紋メモリ１６の中からファイル２５ｋとは別のファイルを選択する。
【００４４】
そして、ファイルの選択後、ステップＳ４で識別子管理部１２が１を加算すると、記番号のカウント値は「０２００００」となる。したがって、彩紋作成部１１は、新たに選択したファイルから記番号の下４桁「００００」の各数値に対応する幾何学模様を読み出して彩紋８を作成する。レイヤ１３は、デジタル文書にこの彩紋と識別子管理部１２による記番号「０１００００」と重ねてラスターイメージプロセッサ３に出力してビットマップイメージに展開し、さらに画像メモリ１５により画像データに変換することで、有価証券９の印刷が行われる。
【００４５】
以後、同様に、有価証券９の印刷指定枚数に未到達の間は、識別子管理部１２が「０２００００」から「０２９９９９」までの記番号をカウントする間は、新たに選択したこのファイルから記番号の下４桁の各数値に対応する幾何学模様を読み出す。そして、これら幾何学模様を組み合わせて彩紋８の模様が作成される。
【００４６】
この間に、印刷枚数が指定枚数に到達したときは、有価証券９の印刷が終了するが、指定枚数に到達していなければ、同様に、記憶部２５から次の彩紋メモリ１６の中からさらに別のファイルをランダムに選択して、識別子管理部１２が「０３００００」から「０３９９９８」までの記番号をカウントする間、その記番号の下４桁の彩紋８の模様が作成されて、記番号と共に有価証券９に印刷される。
【００４７】
記番号に応じた彩紋を作成する仕組みは、上記のように、印刷が必要とされる枚数に応じて作成していく方法を取ることもできるし、あらかじめ、必要な印刷枚数に対応する彩紋を作成して一旦メモリに格納しておいて、それをデジタル文書６に対応させて、順次レイヤに送り込むことで実現する方法を取ることもできる。
【００４８】
このように、各有価証券９に印刷されている彩紋８の模様は、それぞれに記載されている識別子である記番号の数字に関連して決定される。よって、印刷後の有価証券９の彩紋８の模様が作成されるのと逆のプロセスを実行すれば、解析した４桁の数値は、当該有価証券９に記載されている記番号の下４桁の数値と等しいことになる。これを利用して、有価証券９の真贋を鑑別することができる。
【００４９】
有価証券９に印刷されている彩紋８から記番号の４桁の部分の識別子を読み取るには、鑑別する有価証券９の彩紋８の画像をイメージスキャナー５やカメラ等の撮像装置で読みとる。そして、読み取った画像を解析部４に送ることで、解析部４は、送られてきた彩紋８の画像を彩紋メモリ１６に格納している各彩紋とパターン認識処理を行うことで、彩紋８が図４Ａ乃至図４Ｄの何れかの４通りの幾何学模様によって構成されているかを判別する。この場合、認識されない幾何学模様があると、偽造又は変造された有価証券であると判別する。
【００５０】
そして、解析部４は、パターン認識処理により認識した４通りの幾何学模様に割り付けられている数値を、それぞれ対応している各桁に割り当てて４桁の識別子を検出する。よって、彩紋８から有価証券９の識別子の検出と共に、真贋の判定を行うことができる。
【００５１】
真贋判定では、解析部４は、印刷制御部３は表示装置２３に割り出した数字を表示することで、人が鑑別する有価証券に記載の記番号と突き合わせて真贋を判定してもよいし、又は印刷制御部３が送られてきた鑑別を行う有価証券の画像から記番号の数値を認識して、解析部４が解析した数値と照合することで、鑑別結果を報知するようにしてもよい。尚、解析部４は、彩紋を参照する場合に、解析するたびに彩紋メモリ１６から読み取ってもよいし、予め彩紋メモリ１６から読み取って内部メモリに保持している彩紋を参照してよい。
【００５２】
解析部４は、処理装置２とは別の装置に格納され、スマートフォン、タブレット端末等からインターネット経由で、解析部に送られた画像データから識別子の検出と真贋判定とを行っても良く、その結果を、スマートフォン、タブレット端末等へ返送する。
【００５３】
本発明での識別子に関して、上記の実施形態では、印刷する個々の有価証券９に割り振る記番号としているが、記番号は通し番号による数字列に限らず、アルファベットや仮名文字等による文字の列或いは文字と数字との列によって構成されることもある。例えば、「キハ０１２３４」のような場合である。このような文字を含む記番号を識別子とする場合には、数字列の場合と同様に、全列又は一部の複数列を対象列として、これらの列に表記される文字又は数字にそれぞれ対応させた彩紋を彩紋メモリ１６に予め格納しておく。
【００５４】
そして、彩紋作成部１１は、識別子管理部１２が印刷する有価証券９毎に割り振った識別子の対象列の文字又は数字に対応している彩紋を抽出し、これらを組み合わせて彩紋８を作成する。この場合も、彩紋メモリ１６に格納している各彩紋とパターン認識処理を行うことで、対象桁の文字又は数字を認識して、当該有価証券９に表記されている識別子とを比較することで、その真贋を鑑別することができる。
【００５５】
また、各彩紋に対応する識別子としては暗号化された情報であってもよい。例えば、通し番号の「０１０１２３」を所定の暗号キーを用いて暗号化すれば、暗号化した文字又は数字或いは文字と数字も識別子となる。そうすることで、記番号と彩紋との関連性を解析することが一層困難となり、偽造防止の確実性が高まる。さらには、記番号だけでなく、有価証券の表面に印刷されている文字や数字の情報、図２では「○○商店街共通」や「￥１,０００」を組み合わせた文章をデータ圧縮し、圧縮したデータを暗号化キーで暗号化したものを識別子としてもよい。
【００５６】
本発明に係わる有価証券９は、印刷されている彩紋８の模様が識別子を表わすために、特定の有価証券９の記番号に応じた彩紋８の特徴を、あらかじめ、有価証券９を取り扱う商店等の窓口に通知しておくことで、何らの特別の装置を用いずに、目視において、偽造、変造を識別できる。この場合、偽造、変造された有価証券９に印刷されている彩紋８の注意書を提供することで、贋の有価証券９を速やかに排除できる。また、画像認識では判別できなくとも、拡大鏡などを用いた詳細な目視解析を通じて、彩紋の特徴を分析することができる。
【００５７】
上記実施形態では、４通りの幾何学模様を組み合わせて彩紋８を構成し、それぞれの幾何学模様の特徴要素の総合で有価証券９に識別子を割り付けている。すなわち、４通りの幾何学模様を階層化して４桁の記番号の各桁に対応させ、各幾何学模様の識別子を階層（ここでは桁）に沿って配列することで４桁の記番号を構成している。しかし、このように幾何学模様を階層化して彩紋を形成せずとも、一つの幾何学模様での基準点から規則的に配置されて描画されている複数の描線の数、線の太さに特徴のある前記描線の配置順位、線の色に特徴のある前記描線の配置順位、前記描線が描く形状のうちの少なくとも一つの特徴要素を彩紋表示物に応じて差別化することで識別子を割り付けてもよい。
【００５８】
また、上記実施形態では、彩紋表示物を有価証券９の場合で説明したが、彩紋表示物がＩＤカード等の場合には、ＩＤ番号等の識別子を目視可能に記載することはセキュリティの面で避けるのが好ましい。したがって、ＩＤカード等に印刷されている彩紋８からＩＤ番号を読み取ることで個人認証されることになる。
【符号の説明】
【００５９】
１    プリンタ
４    解析部
８    彩紋
９    有価証券（彩紋表示物）
１０  彩紋印刷システム
１１  彩紋作成部
１２  識別子管理部
１６  彩紋メモリ
【図１】
2019031037.tif 000003
【図２】
2019031037.tif 000004
【図３】
2019031037.tif 000005
【図４Ａ】
2019031037.tif 000006
【図４Ｂ】
2019031037.tif 000007
【図４Ｃ】
2019031037.tif 000008
【図４Ｄ】
2019031037.tif 000009
【図５】
2019031037.tif 000010
【図６】
2019031037.tif 000011